(57)【要約】【課題】本発明は、電池の接続端子と安定して電気的に接続でき、且つ構造が簡単である電気コネクタ及びこの電気コネクタを備えた電子装置を提供すること。【解決手段】本発明に係る電気コネクタは、電子装置の中に装着され、且つ電子装置の電池の接続端子と電気的に接続される。前記電気コネクタは、絶縁本体及び複数の導電端子を備え、前記導電端子は、固定部、緩衝部及び接触部を備え、前記固定部は、前記絶縁本体の下面に固定され、前記緩衝部は、前記固定部に対して平行に延伸する弾性端及び前記固定部に直接的に連接される連接端を含み、前記接触部は、前記弾性端の片側から前記連接端から離れるように突設され、前記弾性端と前記絶縁本体との間には、所定の距離が形成され、前記接触部が外力を受けた際に、前記距離は、前記接触部に連接されている前記弾性端の弾性変形を許容する。【選択図】図１
2014038850.tif 000002
【特許請求の範囲】
【請求項１】
電子装置の中に装着され、且つ電子装置の電池の接続端子と電気的に接続される電気コネクタであって、
前記電気コネクタは、絶縁本体及び複数の導電端子を備え、前記導電端子は、固定部、緩衝部及び接触部を備え、前記固定部は、前記絶縁本体の下面に固定され、前記緩衝部は、前記固定部に対して平行に延伸する弾性端及び前記固定部に直接的に連接される連接端を含み、
前記接触部は、前記弾性端の片側から前記連接端から離れるように突設され、前記弾性端と前記絶縁本体との間には、所定の距離が形成され、前記接触部が外力を受けた際に、前記距離は、前記接触部に連接されている前記弾性端の弾性変形を許容することを特徴とする電気コネクタ。
【請求項２】
前記緩衝部は「Ｊ」字状の板体であり、前記弾性端は、前記固定部と所定の間隔をあけて、前記固定部に対して平行に延在し、これによって、前記固定部及び前記緩衝部は、「Ｕ」字状構造を形成し、
前記弾性端と前記固定部との間には、前記絶縁本体を収容するための空間が形成され、前記距離は、前記弾性端の下面と前記絶縁本体の上面との間に形成されることを特徴とする請求項１に記載の電気コネクタ。
【請求項３】
電池及び請求項１または２に記載の電気コネクタを備える電子装置であって、前記電池には複数の凹溝が設けられ、各凹溝の内部には接点が設けられ、
前記接触部は、前記接点に接触導通するように前記凹溝内に収容されることを特徴とする電子装置。
【請求項４】
回路基板をさらに備え、前記絶縁本体は、前記回路基板に固定連接され、前記導電端子の固定部は、前記回路基板に電気的に接続されることを特徴とする請求項３に記載の電子装置。
【発明の詳細な説明】
【技術分野】
【０００１】
本発明は、電気コネクタに関し、特に電子装置の内部に装着され、且つ電池に電気的に接続される電気コネクタに関するものである。
【背景技術】
【０００２】
従来では、電子装置に電池を装着する際、電池の接続端子は電子装置内の電気コネクタに対して衝撃を与える。または、電子装置が床に落ちたりして衝撃を受けた際、電池も前記電気コネクタに対して衝撃を与える。これにより、電気コネクタ内の導電端子は、ある程度移動するため、電池と電気コネクタとの接続が緩む可能性があり、このため、電池の給電機能が損なわれる可能性がある。
【０００３】
上記の問題を解決するために、電気コネクタの導電端子を絶縁収容部内に実装し、且つ半田付けを介して補強板を設けて、電気コネクタの導電端子を前記補強板に強固に固定させる。しかし、このような構造は電気コネクタの導電端子の緩みを防止できるが、電気コネクタ全体の構造を複雑にし、且つ電気コネクタの導電端子の体積を増大させるため、電気コネクタの着脱が困難である。
【発明の概要】
【発明が解決しようとする課題】
【０００４】
そこで、本発明は以上の問題点に鑑みてなされたものであり、電池の接続端子と安定して電気的に接続でき、且つ構造が簡単である電気コネクタ及びこの電気コネクタを備えた電子装置を提供することを目的とする。
【課題を解決するための手段】
【０００５】
上記の課題を解決するために、本発明に係る電気コネクタは、電子装置の中に装着され、且つ電子装置の電池の接続端子と電気的に接続される。前記電気コネクタは、絶縁本体及び複数の導電端子を備え、前記導電端子は、固定部、緩衝部及び接触部を備え、前記固定部は、前記絶縁本体の下面に固定され、前記緩衝部は、前記固定部に対して平行に延伸する弾性端及び前記固定部に直接的に連接される連接端を含み、前記接触部は、前記弾性端の片側から前記連接端から離れるように突設され、前記弾性端と前記絶縁本体との間には、所定の距離が形成され、前記接触部が外力を受けた際に、前記距離は、前記接触部に連接されている前記弾性端の弾性変形を許容する。
【０００６】
また、上記の課題を解決するために、本発明に係る電子装置は、電池及び電気コネクタを備える。前記電池には複数の凹溝が設けられ、各凹溝の内部には接点が設けられ、前記電気コネクタは、絶縁本体及び複数の導電端子を備え、前記導電端子は、固定部、緩衝部及び接触部を備え、前記固定部は、前記絶縁本体の下面に固定され、前記緩衝部は、前記固定部に対して平行に延伸する弾性端及び前記固定部に直接的に連接される連接端を含み、前記接触部は、前記弾性端の片側から前記連接端から離れるように突設され、且つ前記接点に接触導通するように前記凹溝内に収容され、前記弾性端と前記絶縁本体との間には、所定の距離が形成され、前記接触部が外力を受けた際に、前記距離は、前記接触部に連接されている前記弾性端の弾性変形を許容する。
【発明の効果】
【０００７】
従来の技術とは異なり、本発明の電気コネクタは、導電端子の弾性端と絶縁本体との間に、前記弾性端が変位或いは変形することを許容する距離が形成されるので、前記弾性端は、前記導電端子の接触部が受けた外力を緩衝でき、且つ自身の弾性復帰によって前記接触部を元の位置に適時に戻らせて、前記接触部と電池との電気的接続を確保することができる。従って、本発明の電気コネクタは、構造が簡単で、且つ電子装置の内部空間を節約することができる。
【図面の簡単な説明】
【０００８】
【図１】本発明の電気コネクタを備えた電子装置の分解図である。
【図２】本発明に係る電気コネクタの分解図である。
【図３】図２に示した電気コネクタが電子装置に装着されて、電池と組み合わせられた状態を示す図である。
【図４】図３に示した電子装置のＩＶ−ＩＶ線に沿った断面図である。
【図５】図４に示した電池と電気コネクタとが互いに接触接続された状態を示す図である。
【発明を実施するための形態】
【０００９】
図１及び図２に示すように、本発明の実施形態に係る電気コネクタ１００は、電子装置２００（例えば、携帯電話機）の回路基板２１０に装着され、且つ電池３００と電気的に接続される。電気コネクタ１００は絶縁本体１０及び複数の導電端子２０を備える。導電端子２０は絶縁本体１０に装着され、且つ絶縁本体１０を介して回路基板２１０に固定される。
【００１０】
絶縁本体１０は細長い形状であり、上面１１及び下面１２を備える。複数の導電端子２０は絶縁本体１０にそれぞれ装着される。各導電端子２０は、１つの導電金属片を湾曲して一体成形されたものであり、且つ固定部２１、緩衝部２３及び接触部２５に分けられる。固定部２１は矩形の板体であり、電子装置２００の回路基板２１０に固定連接される。緩衝部２３は略「Ｊ」字状の板体であり、且つ湾曲部２３０、連接端２３１及び弾性端２３２を備える。弾性端２３２は連接端２３１の反対側に位置し、且つその長さは連接端２３１の長さより長い。連接端２３１は固定部２１の側面に直接的に連接される。弾性端２３２は、固定部２１と所定の間隔をあけて、固定部２１に対して平行に延在する。これによって、固定部２１と緩衝部２３とは「Ｕ」字状構造を形成し、緩衝部２３の弾性端２３２と固定部２１との間には、絶縁本体１０を収容するための空間２６が形成される。絶縁本体１０が空間２６の内部に収容されると、導電端子２０の弾性端２３２の下面から絶縁本体１０の上面１１までの間に一定の距離が形成される。接触部２５は、緩衝部２３の弾性端２３２の片側から、固定部２１から離れるように弾性端２３２に対して垂直に延伸して形成される。また、接触部２５は、電池３００の接続端子に電気的に接続される。
【００１１】
図３及び図４に示すように、電気コネクタ１００を電子装置２００に取り付ける場合、先ず、固定部２１が絶縁本体１０の下面側に設置され、弾性端２３２及び接触部２５が絶縁本体１０の上面側に設置されるように、絶縁本体１０を導電端子２０の空間２６内に収容する。この際、導電端子２０の弾性端２３２の下面と絶縁本体１０の上面１１との間には、一定の距離が形成される。次に、熱溶融或いは半田付け等の方法によって、固定部２１を絶縁本体１０の下面１２に固定する。最後に、絶縁本体１０の固定ピン等（図示せず）を回路基板２１０の上面に設けられた固定孔に対応して固定させた後、導電端子２０の固定部２１を回路基板２１０に溶接する。
【００１２】
図１及び図５に示すように、電池３００には複数の凹溝３１０が設けられている。各凹溝３１０の内部には、接続端子（接点）３２０が設けられている。電池３００の接続端子３２０が導電端子２０の接触部２５に接触すると、電池３００は電子装置２００に電気的に接続される。
【００１３】
電子装置２００が振動する或いは電子装置２００に対して電池３００を装着する場合、電池３００は、図５に示す矢印方向及び前記矢印方向に垂直な方向に沿って導電端子２０の接触部２５に対して衝撃力を与えて、接触部２５を推進させて、該接触部２５を変位・変形させる。この際、導電端子２０の緩衝部２３の弾性端２３２は、接触部２５が受けた衝撃力に伴って、空間２６内で絶縁本体１０に向けて湾曲変形される。これにより、弾性端２３２は接触部２５が受けた外力を分散して、接触部２５を保護する役割を果たす。さらに、弾性端２３２が弾性復帰することで、接触部２５は元の位置に戻って、電池３００の接続端子３２０との接続関係を保持する。
【００１４】
上記の実施形態から分かるように、本発明の電気コネクタ１００の導電端子２０は、固定部２１及び緩衝部２３を備える。緩衝部２３の弾性端２３２と固定部２１との間には、絶縁本体１０を収容するための空間２６を有する。導電端子２０は、熱溶融或いは半田付け等の方法によって、固定部２１を絶縁本体１０の下面１２に固定することで、絶縁本体１０に固定される。また、導電端子２０の弾性端２３２の下面と絶縁本体１０の上面との間には、弾性端２３２が変位或いは変形することを許容する距離を有する。また、導電端子２０の接触部２５は、弾性端２３２の片側から弾性端２３２に対して垂直に突設される。電池３００を装着する際、導電端子２０の接触部２５に対して押圧力或いは推進力等が加えられるが、この時、弾性端２３２は、接触部２５が受けた外力を緩衝し、且つ自身の弾性復帰によって接触部２５を元の位置に適時に戻らせる。これにより、接触部２５と電池３００とは安定して電気的に接続することができる。従って、本発明の電気コネクタ１００は、構造が簡単であり、電子装置２００の内部空間を節約することができる。
【００１５】
以上、本発明の好適な実施形態について詳細に説明したが、本発明は前記実施形態に限定されるものではなく、本発明の範囲内で種々の変形又は修正が可能であり、該変形又は修正も本発明の特許請求の範囲内に含まれるものであることは言うまでもない。
【符号の説明】
【００１６】
１０    絶縁本体
１１    上面
１２    下面
２０    導電端子
２１    固定部
２３    緩衝部
２３０  湾曲部
２３１  連接端
２３２  弾性端
２５    接触部
２６    空間
１００  電気コネクタ
２００  電子装置
２１０  回路基板
３００  電池
３１０  凹溝
３２０  接続端子
【図１】
2014038850.tif 000003
【図２】
2014038850.tif 000004
【図３】
2014038850.tif 000005
【図４】
2014038850.tif 000006
【図５】
2014038850.tif 000007